(57)【特許請求の範囲】
【請求項１】
透明な第１表示領域と、不透明な第２表示領域と、を有する表示部を少なくとも備え、
前記第１表示領域を透過してユーザが視認できる物体の形状及び該物体の自装置に対する方位の少なくとも一方に基づいた情報を前記表示部に表示させる携帯電子機器であって、
前記情報の内、第１情報を前記第１表示領域に表示し、第２情報を前記第２表示領域に表示する
ことを特徴とする携帯電子機器。
【請求項２】
背景が透明な第１表示領域と、背景が不透明な第２表示領域と、を有する表示部を少なくとも備え、
前記第１表示領域を透過してユーザが視認できる物体の形状及び該物体の自装置に対する方位の少なくとも一方に基づいた情報を前記表示部に表示させる携帯電子機器であって、
前記情報の内、第１情報を前記第１表示領域に表示し、第２情報を前記第２表示領域に表示する
ことを特徴とする携帯電子機器。
【請求項３】
前記情報が前記物体の形状に基づく場合、前記第１情報は、前記物体の形状を測定するためのスケールである
ことを特徴とする請求項１又は２に記載の携帯電子機器。
【請求項４】
前記第２情報は、文字情報である
ことを特徴とする請求項１から３のいずれか一項に記載の携帯電子機器。
【請求項５】
前記第２表示領域は、不透明な部材と対面している
ことを特徴とする請求項１から４のいずれか一項に記載の携帯電子機器。
【請求項６】
前記表示部が内部に配置される筐体をさらに備え、
前記表示部は、該表示部の表面側に第１表示面を、裏面側に第２表示面を、其々有し、
前記筐体は、前記表示部の厚み方向において、前記第１表示面と前記第２表示面の其々に対応する箇所が透明である
ことを特徴とする請求項１から５のいずれか一項に記載の携帯電子機器。
【請求項７】
前記表示部の表示領域に重なる前記物体の画像上の大きさと、当該物体の実際の大きさと、に基づいて、前記物体と自装置との距離を算出し、該距離を前記情報として前記表示部に表示させる
ことを特徴とする請求項１から６のいずれか一項に記載の携帯電子機器。
【請求項８】
前記表示部の表示領域に重なる前記物体の画像上の大きさと、当該物体と自装置との距離と、に基づいて、前記物体の実際の大きさを算出し、該大きさを前記情報として前記表示部に表示させる
ことを特徴とする請求項１から６のいずれか一項に記載の携帯電子機器。
【請求項９】
自装置の位置情報を取得するとともに、該自装置の向いている方向或いは方角を検出し、
前記自装置の位置の周囲の地図情報を取得し、
前記地図情報と、前記自装置の位置情報と、前記自装置の向いている方向或いは方角と、に基づいて、前記表示部の表示領域に重なって見える背景を検出し、
前記背景に関する情報を、前記表示部に表示する
ことを特徴とする請求項１から６のいずれか一項に記載の携帯電子機器。
【請求項１０】
前記背景に関する情報は、前記表示領域に重なって見える施設の名称或いはユーザにより設定された目的地への案内情報を通知するナビゲーションに関する情報である
ことを特徴とする請求項９に記載の携帯電子機器。
【発明の詳細な説明】
【技術分野】
【０００１】
本発明は、画像を表示する表示部を備えた携帯電子機器に関する。
【背景技術】
【０００２】
近年、携帯電話機、ＰＤＡ、携帯ゲーム機等、表示部を備える携帯電子機器は、種々の機能、アプリケーションが搭載されている（例えば、特許文献１）。種々あるアプリケーションの１つとして、表示部の画面上に物差し等の計器を表示させるアプリケーション、例えば、「iPhone（登録商標）」の「iScale」がある。また、カメラで撮影した画像を表示させ、その画像に算出した測定結果を表示させるアプリケーション、例えば「iPhone（登録商標）」の「Ruler  Phone」もある。
【先行技術文献】
【特許文献】
【０００３】
【特許文献１】特開２００８−１５３９３７号公報
【発明の概要】
【発明が解決しようとする課題】
【０００４】
しかしながら、表示部の画面上に計器を表示させるアプリケーションは、測定対象を表示面上に重ねないと測定することができない。そのため、測定できる対象が限定されてしまう。また、カメラで撮影した画像に測定結果を表示させるアプリケーションでは、カメラで撮影した画像を見ているため、直感的な理解がしにくい。
【０００５】
本発明は、上記に鑑みてなされたものであって、直感的な判断がしやすくなり、操作性が高い携帯電子機器を提供することを目的とする。
【課題を解決するための手段】
【０００６】
上述した課題を解決し、目的を達成するために、本発明は、携帯電子機器であって、画像を表示させていない状態で透明となる画像表示領域を有する表示部と、前記表示部が内部に配置され、前記画像表示領域に対応する箇所が透明材料で形成されている筐体と、前記表示部のうち、前記画像表示領域に、縮尺及び方位の少なくとも一方を基準とした画像を表示させる制御部と、を備えることを特徴とする。
【０００７】
ここで、前記制御部は、前記画像表示領域に定規の画像を表示させることが好ましい。
【０００８】
また、前記制御部は、表示させる前記定規の画像を、複数の画像から選択できることが好ましい。
【０００９】
また、電波を送受信するアンテナを備え、画面に表示する情報を外部から取得可能な無線通信部をさらに備え、前記制御部は、前記無線通信部を介して、複数種類の定規の画像を取得可能であることが好ましい。
【００１０】
また、前記制御部は、前記定規の表示時に入力された測定結果を記憶し、入力された測定結果を定規の画像と共に表示させることが好ましい。
【００１１】
また、位置情報を取得する位置情報取得部と、前記筐体の向いている方角を特定する方角特定部と、をさらに有し、前記制御部は、前記位置情報取得部で取得した位置情報と、前記方角特定部で特定した方角とに基づいて、前記画像表示領域の裏面側に位置する自装置の周辺に関する情報を当該画像表示領域に表示させることが好ましい。
【００１２】
また、前記制御部は、前記画像表示領域に、前記画像表示領域の裏面側に位置し、前記画像表示領域に重なる前記自装置の周辺施設の被写体の情報をナビゲーション画像として表示させることが好ましい。
【００１３】
また、前記制御部は、前記画像表示領域の裏面側に位置し、当該画像表示領域を透過してユーザが視認できる対象物の実際の大きさの情報と、前記画像表示領域に重なる前記対象物の画像上の大きさの情報とが入力されると、これらの情報に基づいて、前記対象物と自装置との距離を算出することが好ましい。
【００１４】
また、不透明または半透明な材料で形成され、前記筐体の表面に配置された物理キーと、前記物理キーと前記表示部と間に配置された回路部品と、をさらに有することが好ましい。
【００１５】
また、前記物理キーは、表面がシート状部材で覆われていることが好ましい。
【発明の効果】
【００１６】
本発明にかかる携帯電子機器は、直感的な判断がしやすくなり、より操作性を高くすることができるという効果を奏する。
【図面の簡単な説明】
【００１７】
【図１】図１は、本発明の携帯電子機器の一実施形態の概略構成を示す正面図である。
【図２】図２は、図１に示す携帯電子機器の背面図である。
【図３】図３は、図１に示す携帯電子機器の側面図である。
【図４】図４は、図１に示す携帯電子機器の上面図である。
【図５】図５は、図１に示す携帯電子機器のＡ−Ａ線断面図である。
【図６】図６は、図１に示す携帯電子機器の機能の概略構成を示すブロック図である。
【図７−１】図７−１は、携帯電子機器の動作を説明するための説明図である。
【図７−２】図７−２は、携帯電子機器の動作を説明するための説明図である。
【図８−１】図８−１は、携帯電子機器の動作を説明するための説明図である。
【図８−２】図８−２は、携帯電子機器の動作を説明するための説明図である。
【図９−１】図９−１は、携帯電子機器の動作を説明するための説明図である。
【図９−２】図９−２は、携帯電子機器の動作を説明するための説明図である。
【図１０】図１０は、携帯電子機器の周囲の状況を説明するための説明図である。
【図１１−１】図１１−１は、携帯電子機器の動作を説明するための説明図である。
【図１１−２】図１１−２は、携帯電子機器の動作を説明するための説明図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal  Handyphone  System）、ＰＤＡ、ポータブルナビゲーション装置、ポータブルゲーム機等に対しても本発明は適用できる。
【００１９】
まず、図１から図５を用いて、携帯電子機器１の外観を説明する。図１は、本発明の携帯電子機器の一実施形態の概略構成を示す正面図である。また、図２は、図１に示す携帯電子機器の背面図であり、図３は、図１に示す携帯電子機器の側面図であり、図４は、図１に示す携帯電子機器の上面図であり、図５は、図１に示す携帯電子機器のＡ−Ａ線断面図である。
【００２０】
携帯電子機器１は、無線通信機能を備えた携帯電話機である。携帯電子機器１は、筐体２を有し、この筐体２の内部及び表面に各部が配置されている。筐体２は、図１から図４に示すように、箱型形状であり、第１筐体２Ａと、第２筐体２Ｂとを貼り合わせた構造である。第１筐体２Ａと第２筐体２Ｂとは、厚みが薄い板形状であり、夫々の面積が最も広い面同士が向かい合う向きで貼り合わせられている。また、第１筐体２Ａと第２筐体２Ｂとの面積が最も広い面は、同一面積である。また、筐体２（第１筐体２Ａと第２筐体２Ｂと）は、透明な材料で作製されている。ここで、透明な材料とは、光を透過する材料、例えばアクリル樹脂（ＰＭＭＡ）、ポリカードネート（ＰＣ）である。また、第１筐体２Ａと第２筐体２Ｂとは、接着剤等で接合されており、接合面は、透明となっている。
【００２１】
筐体２は、外面が、表面（第１主面）３と、表面３に対向する（反対側の面である）裏面４（第２主面）と、表面３と裏面４との間の側面５とで構成されている。なお、第１筐体２Ａの面積が最も広い面が表面３となり、第２筐体２Ｂの面積が最も広い面が裏面４となる。また、側面５は、表面３と裏面４の外縁であり、表面３及び裏面４に平行な方向、つまり図３または図４に示す方向から筐体２を見た場合に見える面である。この筐体２は、中心から端部に向かうにしたがって表面３と裏面４との間隔が短くなる形状である。つまり、筐体２は、図３及び図４ に示すように、側面５の断面が曲面となる形状である。
【００２２】
図１に示すように、筐体２（第１筐体２Ａ）の表面３には、シート部６が設けられている。なお、シート部６は、表面３の長手方向において、中央よりも下側（標準的に使用した場合に下側となる向き）にオフセットして配置されている。つまり、シート部６は、表面３のうち下側にずれて配置されている。また、シート部６は、短手方向は、略全面に配置されている。このシート部６は、不透明な材料で作製されている。また、シート部６は、可撓性を有し、押されることで変形する。
【００２３】
また、シート部６には、数字キー１２、方向及び決定キー１３、マイク１５、カメラ３６が設けられている。数字キー１２は、電話番号入力時に数字を入力したり、メール作成時等に文字を入力したりするためのキーであり、シート部６の中央に配置されている。なお、数字キー１２は、表面がシート部６に覆われている。方向及び決定キー１３は、表示部３２に表示されるメニューの選択及び決定や画面のスクロール等を容易に実行するためのキーであり、シート部６の数字キー１２よりも上側に配置されている。また、マイク１５は、携帯電子機器１の通話時に音声を受け取る部分であり、シート部６の下側で、短手方向の一方の端部（図中左側）に配置されている。さらに、カメラ３６は、シート部６の下側で、短手方向の他方の端部（図中右側）に撮影窓が配置されている。さらに、筐体２の表面３の上側には、携帯電子機器１の通話時に音声を発するレシーバ１６が設けられている。
【００２４】
次に、図５に示すように、筐体２の内部には、操作基板７と、回路基板８と、タッチパネル１４、アンテナ２６ａと、表示部３２と、バッテリ３４と、が配置されている。操作基板７は、数字キー１２と、方向及び決定キー１３とに対面して配置された基板であり、数字キー１２と、方向及び決定キー１３に入力された操作を検出する検出回路や、検出した入力を後述する主制御部２２に送る回路が設けられている。
【００２５】
回路基板８は、後述する主制御部２２、記憶部２４等の機能を持つ電子部品、例えばＣＰＵ、メモリ等が設置されている基板であり、操作基板７よりも裏面４側に配置されている。回路基板８は、筐体２の厚み方向に積層された２枚の基板で構成され、裏面４側に配置されている基板が表面３側の基板よりも面積が大きい基板である。また、回路基板８は、表面３に平行な面上において、数字キー１２と、方向及び決定キー１３が配置されている領域であり、シート部６が配置されている領域内に配置されている。また、回路基板８は、方向及び決定キー１３側の一部に、厚みのある回路部材が設けられている。つまり、回路基板８は、方向及び決定キー１３側の一部が、他の部分、つまり、マイク１５側の部分よりも厚い形状となっている。
【００２６】
次に、アンテナ２６ａは、筐体２の長手方向において、下側端部近傍に配置されている。具体的には、アンテナ２６ａは、筐体２の長手方向において、マイク１５が配置されている側の端部、つまり、レシーバ１６から離れている側の端部に短手方向に伸びて配置されている。また、アンテナ２６ａは、筐体２の厚み方向において、操作基板７と、回路基板８との間に配置されている。また、アンテナ２６ａは、表面３に平行な面上において、シート部６が配置されている領域内に配置されている。
【００２７】
バッテリ３４は、操作基板７の裏面４側で回路基板８の表面３側、つまり、操作基板７と回路基板８との間に挟まれて配置されている。バッテリ３４は、回路基板８のうち厚みが薄い領域と対面している。また、バッテリ３４は、筐体２の長手方向において、アンテナ２６ａよりも上側に配置されている。
【００２８】
表示部３２は、筐体２の回路基板８よりも裏面４側に配置されている。また、図１、図２及び図５に示すように、表示部３２は、筐体２の長手方向、短手方向の両方向において、裏面４の大部分の領域に配置された板状の部材である。
【００２９】
表示部３２は、所定の画像として、携帯電子機器１が受信を待機している状態のときに待ち受け画像を表示したり、携帯電子機器１の操作を補助するために用いられるメニュー画像を表示したりする。表示部３２は、例えば、透明液晶モニター等の透明な表示装置であり、反対側が透けて見える。つまり、表示部３２は、筐体２の外部から入射した光を通過させ筐体２の外部に射出することが可能となる。表示部３２は、透明な表示装置であるため、表示している画像を表面３側、裏面４側の両方から視認することができる。これにより、携帯電子機器１は、表示部３２の表面３側の面のうち、シート部６に覆われていない領域を、第１表示面４２として用い、表示部３２の裏面４側の面の全面を第２表示面４４として用いる。つまり、携帯電子機器１は、表面３側から視認可能な第１表示面４２と、裏面４側から視認可能な第２表示面４４に画像を表示させ、表示部３２として使用する。
【００３０】
なお、表示部３２のうち、第１表示面４２かつ第２表示面４４となる領域は、厚み方向に積層されている部材が基本的に透明部材となる。従って、第１表示面４２かつ第２表示面４４となる領域は、筐体２の外側から見た場合反対側が見える、つまり、透けている状態となる。また、表示部３２のうち、第２表示面４４のみとなる領域は、表面３側に回路基板８等が配置されている。このため、表示部３２を透明に維持すると、裏面４側からは、回路基板８が見える。
【００３１】
タッチパネル１４は、表示部３２の裏面４側の面に配置されている。タッチパネル１４は、裏面４側から入力されるユーザの操作を検出する検出部であり、タッチパネル１４のどの部分が指定されているかを検出する。なお、タッチパネル１４は、表示部３２と対面している領域が透明である。
【００３２】
次に、携帯電子機器１の機能と制御部との関係を説明する。図６は、図１に示す携帯電子機器の機能の概略構成を示すブロック図である。図６に示すように携帯電子機器１は、主制御部２２と、記憶部２４と、通信部２６と、操作部２８と、音声処理部３０と、表示部３２と、表示制御部３３と、バッテリ３４と、カメラ３６と、ＧＰＳ通信部３７と、地磁気センサ３８と、を有する。
【００３３】
主制御部２２は、携帯電子機器１の全体的な動作を統括的に制御する処理部、例えばＣＰＵ（Central  Processing  Unit）である。すなわち、携帯電子機器１の各種の処理が、操作部２８の操作や携帯電子機器１の記憶部２４に保存されるソフトウェアに応じて適切な手順で実行されるように、通信部２６、表示部３２等の動作を制御する。主制御部２２は、記憶部２４に保存されているプログラム（例えば、オペレーティングシステムのプログラム、アプリケーションのプログラム等）に基づいて処理を実行する。
【００３４】
記憶部２４には、主制御部２２での処理に利用されるソフトウェアやデータ、具体的には、計器プログラム６０と、計測プログラム６２と、ナビゲーションプログラム６４と、計器画像フォルダ６６とが保存されている。ここで、計器プログラム６０は、表示部３２に計器を表示させるアプリケーションのプログラムである。また、計測プログラム６２は、対象物との距離を計測（計算）する、または、対象物の大きさ、または対象物までの距離を計測（計算）するアプリケーションのプログラムである。ナビゲーションプログラム６４は、ユーザに案内情報を通知するアプリケーションのプログラムである。また、計器画像フォルダ６６とは、計器プログラム６０の実行時に表示させる複数の計器を有する画像フォルダである。なお、計器プログラム６０、計測プログラム６２、ナビゲーションプログラム６４を処理して実行するアプリケーションについては、後ほど説明する。
【００３５】
また、記憶部２４には、表示部３２に表示させる画像を制御するプログラムや、メールの送受信を実行するためのプログラムも保存されている。さらに、記憶部２４には、プログラム以外の各種データとしては、計器画像フォルダ６６以外にも、例えば、記憶部２４には、各種設定条件や、ナビゲーションアプリで使用する地図情報や、アドレス帳や、文字変換に用いる辞書データや、カメラ（読取部）３６で撮影した画像データ等が保存されている。
【００３６】
通信部２６は、アンテナ２６ａを介して、基地局によって割り当てられるチャネルを介し、基地局との間でＣＤＭＡ方式などによる無線信号回線を確立し、基地局との間で電話通信及び情報通信を行う。
【００３７】
操作部２８は、例えば、電源キー、通話キー、数字キー、文字キー、方向キー、決定キー、発信キーなど、各種の機能が割り当てられた数字キー１２、方向及び決定キー１３、タッチパネル１４とで構成される。操作部２８は、これらのキーまたはタッチパネル１４がユーザの操作により入力されると、その操作内容を主制御部２２へ入力する。
【００３８】
音声処理部３０は、マイク１５に入力される音声信号やレシーバ１６から出力される音声信号の処理を実行する。
【００３９】
表示部３２は、上述したように、透明の表示装置であり、主制御部２２から表示制御部３３を介して供給される映像データに応じた映像、画像データに応じた画像を表示装置に表示させる。
【００４０】
バッテリ３４は、主制御部２２等、携帯電子機器１の各部に電力を供給する電力源である。カメラ３６は、表面３と対面している撮影領域（一定角度の視野角に含まれる領域）の画像を取得する撮像機構である。カメラ３６は、撮影した画像を主制御部２２に送る。
【００４１】
ＧＰＳ通信部３７は、ＧＰＳ（Global  Positioning  System、全地球測位システム）衛星から発信されるＧＰＳ信号を受信する通信部である。また、ＧＰＳ通信部３７は、受信したＧＰＳ信号から携帯電子機器１の緯度経度を算出し、算出した緯度経度の情報を主制御部２２に送る。主制御部２２は、ＧＰＳ通信部３７から送られる情報により、携帯電子機器１の位置を検出することができる。
【００４２】
地磁気センサ３８は、互いに直交する３つの方向における地磁気の向きを検出する検出器である。ここで、地磁気を検出する検出器としては、ホール素子、ＭＲ素子、ＭＩ素子、フラックスゲート素子等を用いることができる。地磁気センサ３８は、検出した３つの方向における地磁気の向きの検出結果を主制御部２２に送る。主制御部２２は、地磁気センサ３８の検出結果により、携帯電子機器１の向き（方角）を検出することができる。
【００４３】
次に、図７−１及び図７−２を用いて、携帯電子機器１の動作、具体的には、計器プログラム６０を実行する場合の動作について説明する。ここで、図７−１及び図７−２は、それぞれ携帯電子機器の動作を説明するための説明図である。なお、図７−１及び図７−２は、筺体２の表面３がユーザに向いており、第１表示面４２に画像を表示させる場合である。
【００４４】
まず、携帯電子機器１は、ユーザにより計器を表示させるアプリケーションの起動指示が入力されたら、記憶部２４に記憶されている計器プログラム６０を主制御部２２で処理し、該当するアプリケーションを起動させる。主制御部２２は、アプリケーションが起動されたら、計器画像フォルダ６６から画像、本実施形態では物差し（長さを計測するための計器）の画像を読み出し、表示部３２の第１表示面４２に表示させる。具体的には、図７−１に示すように、携帯電子機器１の表示部３２の第１表示面４２に、物差しである計器８２を表示させる。
【００４５】
ここで、第１表示面４２は、透明な表示装置であるため、表面３側から裏面４側が透けて見える。このため、図７−１に示すように、筺体２の裏面４側の第１表示面４２に対応する領域に測定対象８４が密着する位置に、携帯電子機器１と測定対象８４とを相対的に移動させることで、測定対象８４に、計器８２を重ねることができる。これにより、測定対象８４の長さを計器８２により計測することができる。なお、計器８２は、筐体２の裏面４に密着している測定対象８４の長さに対応した間隔で目盛りを表示させている。また、本実施形態では、測定対象８４の測定している方向の長さは、約２ｃｍ（２ｃｍを超える長さ）となる。
【００４６】
携帯電子機器１は、第１表示面４２の後ろが透けて見える構成とし、さらに、第１表示面４２に計器８２を表示させることで、測定対象８４の上に計器８２を重ねた状態で測定することができる。これにより、表示部３２の上に測定対象８４を載せなくても測定ができるため、測定対象８４が動かせない物体であっても、計器８２を重ねることができ、種々の物体を測定対象とすることができる。
【００４７】
次に、主制御部２２は、計器を表示させるアプリケーションにより、ユーザが入力した長さを比較対象として表示させることができる。また、図７−１に示す測定対象８４の測定結果を比較対象として記憶させることもできる。ここで、比較対象を記憶させる方法としては、ユーザが測定した値を入力する方法がある。また、図７−１に示すような計測時に、第１表示面４２にカーソルを表示させ、ユーザにより方向キーでカーソルを移動させ画面上で始点と終点を指定させ、その指定した始点と終点との距離を長さとして検出してもよい。なお、始点は、計器８２の基点、つまり０ｃｍ地点とし、終点のみを指定するようにしてもよい。 
【００４８】
ここで、図７−２は、測定対象を測定中に比較対象を表示させた場合を示している。まず、携帯電子機器１は、測定対象８６を計測するために、筺体２の裏面４側の第１表示面４２に対応する領域に測定対象８６が密着する位置に、携帯電子機器１と測定対象８６とを相対的に移動させ、測定対象８６と第１表示面４２とを重ねる。ここで、携帯電子機器１は、図７−２に示すように、第１表示面４２に、計器８２に加え、比較対象８８も表示させている。ここで、比較対象８８は、記憶されている長さ分のバーであり、計器８２の画像に重ねて表示されている。このように、比較対象８８を表示させることで、ユーザは、比較対象８８と測定対象８６との大きさの違いを直感的に知ることができる。
【００４９】
ここで、図７−１及び図７−２では、計器として物差しを用いたが、計器はこれに限定されない。以下、図８−１及び図８−２を用いて、計器として分度器を用いる場合を説明する。ここで、図８−１及び図８−２は、それぞれ携帯電子機器の動作を説明するための説明図である。
【００５０】
本実施形態の主制御部２２は、アプリケーションが起動されたら、計器画像フォルダ６６から画像、本実施形態では分度器（角度を計測するための計器）を読み出し、表示部３２の第１表示面４２に表示させる。具体的には、図８−１に示すように、携帯電子機器１の表示部３２の第１表示面４２に、分度器である計器９２を表示させる。
【００５１】
このように計器９２を表示させ、上述と同様に携帯電子機器１と測定対象９４とを相対的に移動させることで、測定対象９４に、計器９２を重ねることができる。これにより、測定対象９４の角度（なす角）を計器９２により計測することができる。
【００５２】
また、本実施形態も主制御部は、計器を表示させるアプリケーションにより、ユーザが入力した長さを比較対象として表示させることができる。また、図８−１に示す測定対象９４の測定結果を比較対象として記憶させることもできる。ここで、比較対象を記憶させる方法は上述の長さの場合と同様である。
【００５３】
また、携帯電子機器１は、分度器を表示させる場合も、図８−２に示すように、測定対象９６の測定時に第１表示面４２に、計器９２に加え、記憶したまたは設定された比較対象９８も表示させることができる。ここで、比較対象９８は、記憶されている角度分のバーであり、計器９２の画像に重ねて表示されている。
【００５４】
このように、計器として分度器を用いる場合も物差しの場合と同様に種々の対象物の角度を計測することが可能となる。また、比較対象を表示させることで、直感的に角度を比較することができる。
【００５５】
なお、表示部３２に表示させる計器は、物差し、分度器に限定されず、長さ、角度等の形状の測定に用いる種々の計器を表示させることができる。また、ユーザは、必要に応じて、表示させる計器を計器フォルダの中から選択すればよい。
【００５６】
また、携帯電子機器１は、通信部２６を介して外部との通信を行い、計器の画像データを取得するようにしてもよい。このように、外部から計器の画像データを取得することで、種々の計器の画像を取得することが可能となる。また、記憶部２４の計器画像フォルダ６６に記憶させる画像データを少なくすることができる。
【００５７】
次に、図９−１及び図９−２を用いて、携帯電子機器１の動作、具体的には、計測プログラム６２を実行する場合の動作について説明する。ここで、図９−１及び図９−２は、それぞれ携帯電子機器の動作を説明するための説明図である。なお、図９−１は、筺体２の表面３がユーザに向いており、第１表示面４２に画像を表示させる場合である。図９−２は、筺体２の裏面４がユーザに向いており、第２表示面４４に画像を表示させる場合である。ここで、計測プログラム６２を処理することで実行される、対象物の大きさ、または対象物までの距離を計測するアプリケーション（以下「計測アプリケーション」という。）は、対象物の大きさ、または、対象物までの距離の一方が既知の状態で、他方の未知の値を検出し、計測結果として出力する。
【００５８】
まず、携帯電子機器１は、ユーザにより計測アプリケーションの起動指示が入力されたら、記憶部２４に記憶されている計測プログラム６２を主制御部２２で処理し、計測アプリケーションを起動させる。主制御部２２は、計測アプリケーションが起動されたら、図９−１に示すように基準バー１０４を表示させる。
【００５９】
ユーザは、基準バー１０４が表示された状態の第１表示面４２と対象物、本実施形態では、人物１０２とを重ねる。その後、ユーザは、第１表示面４２に表示されている基準バー１０４の長さを人物１０２の長さと同じにする。携帯電子機器１の主制御部２２は、ユーザによって入力される操作に基づいて、第１表示面４２内における基準バー１０４の位置や長さを変化させる。
【００６０】
ユーザは、基準バー１０４の長さを人物１０２の長さと同じにしたら、既知の値を入力する。例えば、人物１０２の長さ（身長）が既知の場合は、人物１０２の長さ、本実施形態では１．６５ｍを入力する。携帯電子機器１の主制御部２２は、人物１０２の長さ、つまり、基準バー１０４の長さが入力されたら、第１表示面４２に表示させている基準バー１０４の長さと、入力された長さの値に基づいて、人物１０２との距離を算出する。主制御部２２は、算出した距離を項目１０６として第１表示面４２に表示させる。
【００６１】
なお、主制御部２２は、人物１０２との距離が既知の場合は、距離を入力することで、入力された距離と第１表示面４２に表示されている基準バー１０４の長さとの関係から、人物１０２の実際の長さを算出することもできる。なお、算出方法としては、三角法（三角測量で使用する計算方法）を用いることができる。
【００６２】
携帯電子機器１は、対象物を第１表示面４２に重ねても、第１表示面４２を介して、対象物を確認することができる。これにより、第１表示面４２に表示させている基準バー１０４と、対象物の画面上での大きさを合わせることができ、さらに、既知の対象物の大きさ、または、既知の対象物までの距離を入力することで、未知の対象物までの距離、または、未知の対象物の大きさを算出することができる。また、携帯電子機器１は、実際にすかして見える実物を対象として、計測を行うため、計測結果を直感的に理解することができる。
【００６３】
ここで、上記実施形態では、第１表示面４２に画像を表示させたが、第２表示面４４に画像を表示させて、計測アプリケーションを実行してもよい。以下、図９−２を用いて、第２表示面４４に画像を表示させる場合について説明する。ここで、携帯電子機器１は、図９−２に示すように、第２表示面４４のうち第１表示面４２かつ第２表示面４４となる領域が第１表示領域１１０となり、第２表示面４４のみとなる領域が第２表示領域１１２となる。なお、表示部３２に画像を表示させていない場合、第１表示領域１１０は、透明で筐体２の反対側の景色が透けて見え、第２表示領域１１２は、回路基板８が見える。なお、主制御部２２は、第１表示領域１１０の背景を透明（つまり透けて見える状態）とし、第２表示領域１１２の背景を不透明としている。
【００６４】
まず、携帯電子機器１は、ユーザにより計測アプリケーションの起動指示が入力されたら、記憶部２４に記憶されている計測プログラム６２を主制御部２２で処理し、計測アプリケーションを起動させる。主制御部２２は、計測アプリケーションが起動されたら、図９−２に示すように第２表示面４４に基準バー１１４を表示させる。
【００６５】
ユーザは、基準バー１１４が表示された状態の第２表示面４４の第１表示領域１１０と人物１０２とを重ねる。その後、ユーザは、第２表示面４４に表示されている基準バー１１４を第１表示領域１１０に移動させ、基準バー１１４の長さを人物１０２の長さと同じにする。携帯電子機器１の主制御部２２は、ユーザによって入力される操作に基づいて、第２表示面４４内における基準バー１１４の位置や長さを変化させる。なお、基準バー１１４は、予め第１表示領域１１０に表示させてもよい。また、主制御部２２は、タッチパネル１４に入力される操作をユーザの操作として検出する。
【００６６】
ユーザは、基準バー１１４の長さを人物１０２の長さと同じにしたら、既知の値を入力する。ここで、主制御部２２は、第２表示領域１１２に、基準バー１１４の高さを表示させる項目１１６と、対象物までの距離を表示させる項目１１８と、数字ボタン１１９を表示させている。主制御部２２は、ユーザによる数字ボタン１１９に対応する位置の押下をタッチパネル１４で検出することで、数値の入力を検出する。主制御部２２は、例えば、人物１０２の長さ（身長）が既知の場合は、人物１０２の長さとして１．６５ｍが入力されたら、項目１１６に入力結果を表示させる。なお、基準高さを入力するか、距離を入力するかの、入力する項目の選択は、いずれの項目に対応する位置をユーザがタッチしたかを検出して判断すればよい。さらに、主制御部２２は、第１表示面４２に表示させている基準バー１０４の長さと、入力された長さの値に基づいて、人物１０２との距離を算出する。主制御部２２は、算出した距離を項目１１８に表示させる。
【００６７】
このように、第２表示面４４に画像を表示させる場合でも同様の処理で、対象物までの距離または対象物の大きさを算出し、表示させることができる。また、第２表示面４４は、第１表示面４２よりも表示面積が多いため、種々の情報を表示させることができる。また、ユーザは、タッチパネル１４に操作を入力できるため、方向キー等の操作をすることなく、基準バー１１４の位置、大きさを調整することができる。これにより、直感的に操作を行うことが可能となる。
【００６８】
また、図９−２では、計測アプリケーションの場合で説明したが、計器を表示させるアプリケーションを実行する場合も第２表示面４４に画像を表示させるようにしてもよい。
【００６９】
次に、図１０、図１１−１及び図１１−２を用いて、携帯電子機器１の動作、具体的には、ナビゲーションプログラム６４を実行する場合の動作について説明する。ここで、図１０は、携帯電子機器の周囲の状況を説明するための説明図であり、図１１−１及び図１１−２は、それぞれ携帯電子機器の動作を説明するための説明図である。なお、図１１−１は、筺体２の表面３がユーザに向いており、第１表示面４２に画像を表示させる場合である。図１１−２は、筺体２の裏面４がユーザに向いており、第２表示面４４に画像を表示させる場合である。ここで、ナビゲーションプログラム６４を処理することで実行される、ナビゲーションアプリケーションは、ユーザの現在位置、また、向いている方向を検出し、ユーザに周辺の状況を通知する。また、ナビゲーションアプリケーションは、設定された目的地への案内情報を通知することもできる。
【００７０】
まず、図１０に示すように、携帯電子機器１を持っているユーザ（人物１３１）は、向いている方向に建物１３２と、タワー１３４がある道１３６に立っている。携帯電子機器１は、この位置状態にいる場合に、ナビゲーションアプリケーションを起動させた場合として説明する。なお、建物１３２にはＡビル、タワー１３４にはＢタワー、道１３６にはＣ通りという名称が付けられている。
【００７１】
まず、携帯電子機器１は、ユーザによりナビゲーションアプリケーションの起動指示が入力されたら、記憶部２４に記憶されているナビゲーションプログラム６４を主制御部２２で処理し、該当するアプリケーションを起動させる。主制御部２２は、アプリケーションが起動されたら、ＧＰＳ通信部３７により携帯電子機器１の位置情報を取得し、さらに、地磁気センサ３８で携帯電子機器１が向いている方角、水平面に対する角度を検出する。主制御部２２は、携帯電子機器１は、位置と、向いている方向、角度を検出したら、該当する領域（自身がいる位置の周囲）の地図情報を取得する。なお地図情報は、記憶部２４に記憶された地図情報を取得しても、通信部２６を介して外部のデータベースから情報を取得してもよい。
【００７２】
主制御部２２は、地図情報を取得したら、位置と、向いている方向、角度に基づいて、第１表示面４２に透けて見える景色、つまり、ユーザが第１表示面４２を見たときに第１表示面４２に重なって見える景色に含まれる建物、道を検出する。その後、主制御部２２は、検出した第１表示面４２内に見える建物、道の位置を算出し、該当する位置に、建物、道の情報（例えば、名称）を表示させる。具体的には、図１１−１に示すように、建物１３２、タワー１３４、道１３６が第１表示面４２に重なって見える場合 、主制御部２２は、建物１３２に重なる位置に「Ａビル」という文字情報１４２を表示させ、タワー１３４に重なる位置に「Ｂタワー」という文字情報１４４を表示させ、道１３６に重なる位置に「Ｃ通り」という文字情報１４６を表示させる。また、主制御部２２は、ユーザが進むべき方向を矢印１４８で表示する。
【００７３】
携帯電子機器１は、第１表示面４２に重なって見える背景にナビゲーションに関する情報を重ねて表示させることで、ユーザが直感的に理解しやすい情報を提供することができる。具体的には、実際の背景（風景、建物）にナビゲーションの情報を重ねて表示させることで、ユーザがナビゲーションの情報と実際の背景とを比較して、判断する必要がなくなる。つまり、地図や表示部に表示される情報と、実際の風景の両者を見比べて対応付けを行う必要がなく、第１表示面４２のみを見ることで、対応付けを理解することができる。そのため、ユーザは、自分の周囲に関する情報や、移動すべき道をより簡単に理解することができる。
【００７４】
なお、上記実施形態では、道案内の情報と、周囲の情報の両方を表示させたが、表示させる情報は、目的に応じて切り替えればよい。
【００７５】
ここで、上記実施形態では、第１表示面４２に画像を表示させたが、ナビゲーションアプリケーションを実行する場合も、第２表示面４４に画像を表示させてもよい。以下、図１１−２を用いて、第２表示面４４に画像を表示させる場合について説明する。なお、本実施形態も、第１表示領域１１０の背景を透明（つまり透けて見える状態）とし、第２表示領域１１２の背景を不透明としている。
【００７６】
携帯電子機器１は、ナビゲーションアプリケーションを起動させたら、ＧＰＳ通信部３７により携帯電子機器１の位置情報を取得し、さらに、地磁気センサ３８で携帯電子機器１が向いている方角、水平面に対する角度を検出する。主制御部２２は、携帯電子機器１は、位置と、向いている方向、角度を検出したら、該当領域の地図情報を取得する。主制御部２２は、地図情報を取得したら、位置と、向いている方向、角度に基づいて、第２表示面４４の第１表示領域１１０に透けて見える景色に含まれる建物、道を検出する。
【００７７】
さらに、主制御部２２は、検出した第１表示領域１１０内に見える建物、道の位置を算出し、該当する位置に、建物、道の情報（例えば、名称）を表示させる。具体的には、図１１−２に示すように、建物１３２、タワー１３４、道１３６が第１表示面４２に重なって見える場合、主制御部２２は、「Ａビル」という文字情報１５２、「Ｂタワー」という文字情報１５４、「Ｃ通り」という文字情報１５６を表示させる。ここで、文字情報１５２、文字情報１５４、文字情報１５６は、第２表示領域１１２に表示される。また、第２表示面４４には、文字情報１５２と建物１３２に重なる位置とを結ぶ線、文字情報１５４とタワー１３４に重なる位置とを結ぶ線、文字情報１５６が道１３６に重なる位置を指すことを示す矢印が表示される。さらに、主制御部２２は、ユーザが進むべき方向を示す「Ｃ通りを直進」という文字情報１５８を第２表示領域１１２に表示させる。
【００７８】
このように、第２表示面４４に画像を表示させる場合も、図１１−１に示す場合と同様にナビゲーションアプリケーションを実行することができる。また、第２表示面４４に画像を表示させる場合は、文字情報を第２表示領域１１２に表示させることで、第１表示領域１１０に透けて見える背景をより、明確に確認することができる。つまり、ナビゲーションアプリケーションで作成した情報は、第２表示領域に優先的に表示させることで、背景を見やすくしつつ、情報を取得することができる。これにより、取得した情報をより理解しやすくすることができる。また、上記実施形態では、背景の各部と、情報とを矢印や、線で対応付けたが、これには限定されず、番号を付して対応付けてもよい。
【００７９】
なお、上記実施形態では、携帯電子機器を、計器を用いた計測、測量、ナビゲーションに用いた場合について説明したがこれに限定されない。携帯電子機器は、主制御部２２により、第１表示面４２または、第２表示面４４の第１表示領域１１０に重なって見える物体（背景）との関係を、縮尺（長さ、大きさ）や、方位（方角）に基づいて処理するアプリケーションであれば種々のアプリケーションを用いることができる。いずれも、物体と表示部の画像とを重ねることができるため、表示部に表示される情報を直感的に理解しやすくすることができる。
【００８０】
ここで、携帯電子機器１は、本実施形態のように、操作基板７と、回路基板８と、アンテナ２６ａと、バッテリ３４とは、数字キー１２、方向及び決定キー１３と表示部３２との間に挟まれた領域、つまり、シート部６と表示部３２との間に挟まれた領域に配置することが好ましい。これにより、携帯電子機器１を筐体２の表面３側から見た場合、操作基板７と、回路基板８と、アンテナ２６ａと、バッテリ３４とは、本実施形態では、シート部６に隠れて見えない構成とすることができる。
【００８１】
さらに、筐体２は、側面５を曲面形状とすることで、回路基板８を見ようとして側面５側から筐体２の内部を覗いても、回路基板８が見えない構造となっている。つまり、側面５を曲面形状とし、側面５から入射した光を屈折させることで、筐体２の側面５から入射した光が回路基板８に届かない構成となる。
【００８２】
さらに、携帯電子機器１は、筐体２の裏面４側に、表示部３２を配置している。これにより、携帯電子機器１は、表示部３２に画像を表示させることで、裏面４側からも回路基板８を見えないようにすることができる。
【００８３】
これにより、本実施形態の携帯電子機器１は、筐体２を透明としても、回路基板８等の電子部品を見えないようにすることができ、優れた美観とすることができる。さらに、数字キー１２、方向及び決定キー１３等の各種キーも配置できるため、操作をしやすくすることができる。
【００８４】
また、数字キー１２、方向及び決定キー１３が配置されている表面３側に第１表示面４２を設けることで、第１表示面４２に操作画面を表示させることができる。また、裏面４側により大きい第２表示面４４を設けることで、大画面に画像を表示させることができる。また、表示部３２を透明表示装置とすることで、１つの表示部３２で第１表示面４２、第２表示面４４の両方に画像を表示させることができる。なお、表示面によって、表示させる画像を判定（選択）させることで、適切な画像を表示させることができる。つまり、主制御部２２及び表示制御部３３の制御により、使用されている表示面に適切な画像を表示させることができる。また、携帯電子機器１は、表面３に、数字キー１２、方向及び決定キー１３と、表示面積が小さい第１表示面４２とを備え、裏面４に、タッチパネル１４と、表示面積が大きい第２表示面４４とを備える。これにより、携帯電子機器１の使用用途に応じて、表面３と裏面４とを使い分けることができる。例えば、メール等の数字、文字の入力が多くなる操作は、表面３で行い、画面の拡大や、選択が主の操作となる動画、画像の観賞、操作は、裏面４で行うようにすることができる。これにより、操作性を高くすることができる。
【００８５】
また、筐体２の数字キー１２、方向及び決定キー１３等の物理キー（所定の位置に固定されており、タッチパネル１４のように透明な板状部材ではないキー）が配置されている面に不透明のシート部６を設けることで、より確実に回路基板８を隠すことができる。このような効果を得ることができるため、シート部６は、不透明とすることが好ましいが、これに限定されず、半透明としてもよい。シート部６を半透明とすることで、回路基板８を見えにくくすることができる。シート部６を見えにくくすることで、美観も一定以上高くすることができる。また、シート部６は、本実施形態のように数字キー１２の表面を覆うように配置することが好ましい。これにより、数字キー１２の表面の外観を１枚のシート状にすることができ、美観に優れた形状とすることができる。また、キーと筺体２との間の隙間が露出しない構成となるため、防水性を高めることができ、筺体２の構造も簡単になる。
【００８６】
また、回路基板８を隠せるため、シート部６を設けることが好ましいが、本発明はこれに限定されず、シート部６を設けなくてもよい。シート部６を設けなくとも、方向及び決定キー１３等の物理キーに対応する位置（向かい合う位置）に回路基板８を配置することで、物理キーにより回路基板８を隠すことができる。ここで、物理キーは、凹凸があったり、対応する機能の文字が印刷されていたり、複数のキーに分かれているため、その裏側が見えにくくなっている。これにより、回路基板８を見えにくくすることができる。
【００８７】
なお、物理キーは不透明とすることが好ましい。さらに、物理キーを構成する部分を不透明な部材で形成することが好ましい。これにより、回路基板８を見えにくくすることができる。
【００８８】
また、本実施形態のように、携帯電子機器１は、回路基板８に加え、バッテリ３４や、アンテナ２６ａも物理キーと表示部３２との間に配置することが好ましい。これにより、バッテリ３４やアンテナ２６ａも見えにくくすることができる。また、アンテナ２６ａは、筐体２の端部に設けることが好ましく、特に、筐体２の下側端部（文字の表示方向を基準として下側となる端部）に設けることが好ましい。アンテナ２６ａを端部に設けることで、他の機器に影響を与えることを抑制しつつ、感度を向上できる。また、アンテナ２６ａを、筐体の下側端部に設けることで、ユーザが筐体２を握った場合も露出しやすい位置にアンテナ２６ａを配置することができ、感度を高く維持できる。
【００８９】
また、携帯電子機器１のように、物理キーを筐体２の長手方向において、中心よりも下側（操作時、つまり文字を表示させる向きを基準として下側）にオフセットして配置することで、操作しやすい位置に物理キーと第１表示面４２とを配置することができる。つまり、物理キーを操作しているときに物理キーの上に第１表示面が配置されるため、第１表示面を見ながらの操作を行いやすい。
【００９０】
また、本実施形態では、物理キーとして、表面３に、数字キー１２を押下したり、方向及び決定キー１３を押下したりすることで操作を入力する装置を配置したが、本発明はこれに限定されない。物理キーとしては、トラックボール、方向キー、タッチパッド、光式ポインティングデバイスを用いることができ、表面３には、これらの少なくとも１つを配置すればよい。なお、裏面４には、本実施形態のように、タッチパネル１４を設けることが好ましい。これにより、裏面４の第２表示面４４に画像を表示させている場合でも操作を入力することができ、操作性を高くすることができる。
【００９１】
また、本実施形態のように、シート部６に、物理キーに加え、マイク１５及びカメラ３６を配置することで、筐体２の透明部分をより多くすることができ、装置の美観をより向上させることができる。なお、シート部６に配置する装置としては、マイク、カメラに限定されず、レシーバや、スピーカ等、不透明な部分が筐体２から露出している部材は、シート部６に配置することが好ましい。なお、美観を向上させるためには、これらの不透明な部分が筐体から露出している部材は、シート部６上に配置することが好ましいが、必ずしも配置する必要はなく、少なくとも１つを配置することが好ましい。
【００９２】
なお、携帯電子機器１は、上記実施形態（図９−２、図１１−２）のように、第２表示面４４に表示させる画像の設定を、第１表示領域１１０（回路基板８と対面していない領域）と、第２表示領域１１２（回路基板８に対面している領域）とで、切り替えることが好ましい。つまり、表示部３２のうち、第１表示面４２かつ第２表示面４４となる領域と、第２表示面４４のみとなる領域とで、異なる表示制御を行うことが好ましい。
【００９３】
具体的には、待受画面を表示させる場合、第１表示領域１１０は、背景を透明とし、第２表示領域１１２は、背景を不透明とする。このように、第２表示領域１１２を不透明、つまり、何かの画像を表示させることで、第２表示領域１１２の裏面４にある回路基板８を見えないようにしつつ、表示領域を透けた状態とすることができる。これにより、携帯電子機器１の透明な美観を生かしつつ、回路基板８が見えることを抑制することができる。
【００９４】
また、第１表示領域１１０と第２表示領域１１２とで背景を切り替えるようにしたが、表示させる画像を切り替えるようにしてもよい。具体的には、待受画面を表示させる際に、第２表示領域１１２のみに画像を表示させ、第１表示領域１１０には、画像を表示させないようにしてもよい。このようにしても、第１表示領域１１０を透明に維持したまま、回路基板８が見えることを抑制することができる。なお、主制御部２２は、第２表示領域１１２に優先的に画像を表示させ、表示させる画像が一定の大きさとなったら、第１表示領域１１０に画像を表示させるようにしてもよい。なお、その場合も背景（壁紙）は、透明とすることが好ましい。
【００９５】
また、その他のアプリケーションの操作画面、画像を表示させる場合も同様に、第１表示領域１１０の背景は透明とし、第２表示領域１１２の背景は不透明とすることが好ましい。なお、第１表示領域１１０に表示される背景は、壁紙に限定されない。主制御部２２は、その情報（画像）を表示させるために必要な画像のみを表示させ、その他の画像要素は背景として、第１表示領域１１０では、表示させずに透明とすればよい。例えば、文字情報を表示させる場合は、文字情報のみを表示させ、その他の画像は表示させないようにすればよい。
【００９６】
次に、上記実施形態では、携帯電子機器１の筐体２の側面５を曲面としたが、本発明はこれに限定されない。ここで、筐体２の側面５は、表面３及び裏面４に平行な方向から筐体２を見たときに、筐体２の内部の回路基板８が見えない（認識できない）、または、見えにくい構成となっていることが好ましく、側面５の少なくとも一部が、表面３に直交する方向に対して傾いていることが好ましい。このように、側面５の少なくとも一部を、表面３に直交する方向に対して傾いている形状、つまり、表面３に直交する面形状ではない形状とすることで、筐体２の内部の回路基板８が見えない（認識できない）、または、見えにくくすることができる。例えば、筺体の側面は、波形状、筐体の中心に凸の曲面の形状、表面に直交する方向に対して筐体の中心から離れて行く方向に傾いている２つの斜面で構成された形状とすることができる。
【００９７】
なお、このように回路基板を見えにくくまたは見えなくできるため、側面の少なくとも一部が、表面３に直交する方向に対して傾いていることが好ましいが、表面３に直交する面としてもよい。また、携帯電子機器は、側面のうち左右方向（長辺側の側面）の側面のみを表面３に直交する方向に対して傾いている形状とすることも好ましい。また、側面のうち、回路基板と対面している部分を表面３に直交する方向に対して傾いている形状とすることも好ましい。このように、側面のうち、回路基板が見えやすい部分、回路基板に近い部分のみを回路基板が見えにくい構成とすることで、携帯電子機器の美観を高くすることができる。
【００９８】
また、本実施形態では、筐体２を表面３側の第１筐体２Ａと、裏面４側の第２筐体２Ｂとに分けたが、これには、限定されない。例えば、筐体は、１つの部材で作製してもよく、また、筐体の上下に分かれる構成としてもよい。また、筐体は、１面が開放された箱と、その箱の開放されている面を塞ぐ蓋とで構成してもよい。さらに、筐体は、３つ以上の部材を接合する構成としてもよい。なお、美観をよくするために、いずれの場合も接合面は、接着剤等で接合し、接合面が透明となるようにすることが好ましい。
【００９９】
また、携帯電子機器１は、バッテリを非接触で充電可能なバッテリ、例えば、電磁誘導型のバッテリとすることが好ましい。バッテリを非接触で充填できるようにすることで、筐体２に充電用の端子を設ける必要がなくなり、筐体２の美観をよりよくすることができる。また、携帯電子機器を防水性の高い携帯電子機器としやすくすることができる。
【０１００】
また、携帯電子機器１は、他の機器とのデータの通信を無線、例えば、赤外線通信、Bluetoothで行うようにすることが好ましい。これにより、データ通信用の端子を設ける必要がなくなり、筐体２の美観をよりよくすることができる。また、携帯電子機器を防水性の高い携帯電子機器としやすくすることができる。
【０１０１】
また、上記実施形態では、表示部３２を、画像を表示させていない状態では透明としたが、半透明でもよい。半透明でも筐体の向こう側が透けて見えるため、上述した各種処理を実行することができる。また、本実施形態では、装置構成が簡単になるため、表示部３２を１枚の表示装置で構成したが、２枚の表示装置で構成してもよい。つまり、第１表示面と第２表示面とに異なる表示装置を設けてもよい。また、上述した各種効果を得ることができるため、携帯電子機器の表示部３２は、両面に画像を表示させることが好ましいが、いずれか一方のみに画像を表示させる構成としてもよい。
【０１０２】
また、携帯電子機器１は、美観を高めるために筺体を透明とすることが好ましいが、本発明はこれに限定されず、表示部の所定領域に背景を重ねることができる、つまり、表示部が透けて見え、背景が重なる構成であればよく、筺体は、不透明でもよい。
【産業上の利用可能性】
【０１０３】
以上のように、本発明にかかる携帯電子機器は、画像を表示させる携帯電子機器に用いることに有用である。
【符号の説明】
【０１０４】
１  携帯電子機器
２  筐体
２Ａ  第１筐体
２Ｂ  第２筐体
３  表面（第１主面）
４  裏面（第２主面）
５  側面
６  シート部
７  操作基板
８  回路基板
１２  数字キー
１３  方向及び決定キー
１４  タッチパネル
１５  マイク
１６  レシーバ
２２  主制御部（ＣＰＵ）
２４  記憶部（メモリ）
２６  通信部
２６ａ  アンテナ
２８  操作部
３０  音声処理部
３２  表示部
３３  表示制御部
３６  カメラ
３７  ＧＰＳ通信部
３８  地磁気センサ
４２  第１表示面
４４  第２表示面
６０  計器プログラム
６２  計測プログラム
６４  ナビゲーションプログラム
６６  計器画像フォルダ
８２、９２  計器
８４、８６、９４、９６  測定対象
８８、９８  比較対象
１０２、１３１  人物
１０４、１１４  基準バー
１０６、１１６、１１８  項目
１１０  第１表示領域
１１２  第２表示領域
１１９  数字ボタン
１３２  建物
１３４  タワー
１３６  道
１４２、１４４、１４６、１５２、１５４、１５６、１５８  文字情報
【図１】
0005606091.tif 000002
【図２】
0005606091.tif 000003
【図３】
0005606091.tif 000004
【図４】
0005606091.tif 000005
【図５】
0005606091.tif 000006
【図６】
0005606091.tif 000007
【図７−１】
0005606091.tif 000008
【図７−２】
0005606091.tif 000009
【図８−１】
0005606091.tif 000010
【図８−２】
0005606091.tif 000011
【図９−１】
0005606091.tif 000012
【図９−２】
0005606091.tif 000013
【図１０】
0005606091.tif 000014
【図１１−１】
0005606091.tif 000015
【図１１−２】
0005606091.tif 000016